(57)【特許請求の範囲】
【請求項１】
少なくとも２つの医療用コネクタを相互連結するロックコネクタ部の緩みを抑制する医療用コネクタ連結補助具において、
前記医療用コネクタの各々は括れ部を備えており、
前記医療用コネクタ連結補助具は、前記括れ部が区画する部分の各々に挿入されて該括れ部に着脱可能に装着される少なくとも２つの挿入部と、該少なくとも２つの挿入部と一体に形成されて該挿入部間を連結する連結部とを備え、
前記医療用コネクタ連結補助具は、前記挿入部の各々を区画する切欠き部を有するプレート部材で構成されており、
前記医療用コネクタ連結補助具は、前記プレート部材の端縁に沿って配置されると共に前記プレート部材と交差する方向に延びる庇部を備えており、
前記庇部は、板状をなしていることを特徴とする医療用コネクタ連結補助具。
【請求項２】
前記医療用コネクタの各々は、前記相互連結状態にて前記ロックコネクタ部の軸線と平行に整列する括れ部を備える、請求項１に記載の医療用コネクタ連結補助具。
【請求項３】
前記括れ部が区画する部分は凹部である、請求項１に記載の医療用コネクタ連結補助具。
【請求項４】
前記括れ部の各々は、前記ロックコネクタ部の軸線と直交する軸線を備えると共に、該括れ部が区画する凹部が、該括れ部の軸線の周りに設けられており、
前記挿入部の各々は、前記括れ部への装着状態にて前記括れ部の軸線に沿って見たときに、前記ロックコネクタ部の軸線を跨いで配置される、請求項３に記載の医療用コネクタ連結補助具。
【請求項５】
前記医療用コネクタの各々は、他の医療用コネクタを弁体を介して接続可能な混注ポートを備え、前記括れ部は、該混注ポートに形成されている、請求項１〜４のいずれか一項に記載の医療用コネクタ連結補助具。
【請求項６】
前記プレート部材は３つの前記切欠き部を有する、請求項１〜５のいずれか一項に記載の医療用コネクタ連結補助具。
【請求項７】
前記プレート部材は、２つの前記挿入部の各々を区画する２つの前記切欠き部を有し、
前記プレート部材の２つの前記挿入部の一方は、同一構成になる他の前記プレート部材の２つの前記挿入部の他方を装着させた前記括れ部に着脱可能である、請求項１〜５のいずれか一項に記載の医療用コネクタ連結補助具。
【請求項８】
前記プレート部材の２つの前記挿入部の一方と他方とは、互いに段違いに設けられている、請求項７に記載の医療用コネクタ連結補助具。
【請求項９】
前記プレート部材は、前記切欠き部間に少なくとも１つの補強リブを有し、
前記補強リブは、前記挿入部が前記括れ部の各々に装着された状態で、前記ロックコネクタ部の軸線と垂直に延びている、請求項１〜８のいずれか一項に記載の医療用コネクタ連結補助具。
【請求項１０】
前記挿入部には少なくとも１つの切り込みを備える、請求項１〜９のいずれか一項に記載の医療用コネクタ連結補助具。
【請求項１１】
前記挿入部は、該挿入部を前記括れ部に着脱可能に係止する爪部を有する、請求項１〜１０のいずれか一項に記載の医療用コネクタ連結補助具。
【請求項１２】
請求項１〜１１のいずれか一項に記載の少なくとも２つの医療用コネクタ及び医療用コネクタ連結補助具を備えることを特徴とする、医療用コネクタセット。
【発明の詳細な説明】
【技術分野】
【０００１】
本発明は、少なくとも２つの医療用コネクタを相互連結するロックコネクタ部の緩みを抑制する医療用コネクタ連結補助具に関し、特に、要求される寸法精度を緩和し、より確実にロックコネクタ部の緩みを抑制しようとするものである。
また、本発明は、そのような医療用コネクタ及び医療用コネクタ連結補助具を備える医療用コネクタセットに関する。
【背景技術】
【０００２】
従来、この種の医療用コネクタ連結補助具として、例えば特許文献１に記載されるようなプレート部材が知られている。特許文献１では、ロックコネクタ部を介して相互連結可能な２つの医療用コネクタにそれぞれ固定された２つのプレート部材を備えている。そして、医療用コネクタ同士をロックコネクタ部により連結すると同時に、プレート部材同士を嵌合により連結することで、ロックコネクタ部の緩みを抑制するようにしている。
【先行技術文献】
【特許文献】
【０００３】
【特許文献１】特開平７−６７９６８号公報
【発明の概要】
【発明が解決しようとする課題】
【０００４】
しかしながら、特許文献１に記載されるようなプレート部材では、医療用コネクタ同士の連結と同時に、プレート部材同士の嵌合による連結を達成する必要があり、高い寸法精度が要求されることになる。また、このような寸法精度に適合しない製品を使用した場合には、ロックコネクタ部の緩みを抑制できないどころか、そもそもロックコネクタ部を十分に締結できないおそれもあった。【０００５】
本発明は、このような問題を解決するために開発されたもので、少なくとも２つの医療用コネクタを相互連結するロックコネクタ部の緩みを抑制する医療用コネクタ連結補助具において、要求される寸法精度を緩和し、より確実にロックコネクタ部の緩みを抑制することができる医療用コネクタ連結補助具を提供することを目的とする。【０００６】
また、本発明は、そのような医療用コネクタ及び医療用コネクタ連結補助具を備える医療用コネクタセットを提供することを目的とする。
【課題を解決するための手段】
【０００７】
本発明の医療用コネクタ連結補助具は、少なくとも２つの医療用コネクタを相互連結するロックコネクタ部の緩みを抑制する医療用コネクタ連結補助具において、前記医療用コネクタの各々は括れ部を備えており、前記医療用コネクタ連結補助具は、前記括れ部が区画する部分の各々に挿入されて該括れ部に着脱可能に装着される少なくとも２つの挿入部と、該少なくとも２つの挿入部と一体に形成されて該挿入部間を連結する連結部とを備えることを特徴とする。【０００８】
ここで、本発明の医療用コネクタ連結補助具は、前記医療用コネクタの各々が、前記相互連結状態にて前記ロックコネクタ部の軸線と平行に整列する括れ部を備えることが好ましい。【０００９】
また、本発明の医療用コネクタ連結補助具は、前記医療用コネクタが、前記相互連結状態にて前記ロックコネクタ部の軸線と平行に位置する括れ部と前記軸線と垂直に位置する括れ部とを備えることが好ましい。【００１０】
また、本発明の医療用コネクタ連結補助具は、前記括れ部が区画する部分が凹部であることが好ましい。【００１１】
また、本発明の医療用コネクタ連結補助具は、前記括れ部の各々は、前記ロックコネクタ部の軸線と直交する軸線を備えると共に、該括れ部が区画する凹部が、該括れ部の軸線の周りに設けられており、前記挿入部の各々は、前記括れ部への装着状態にて前記括れ部の軸線に沿って見たときに、前記ロックコネクタ部の軸線を跨いで配置されることが好ましい。なお、「括れ部が区画する凹部が、該括れ部の軸線の周りに設けられる」とは、前記凹部が括れ部の軸線の周りに全周に亘って設けられる態様を含むことは言うまでもなく、周領域の一部のみに亘って設けられる態様をも含むものである。【００１２】
また、本発明の医療用コネクタ連結補助具は、前記医療用コネクタの各々は、他の医療用コネクタを弁体を介して接続可能な混注ポートを備え、前記括れ部は、該混注ポートに形成されていることが好ましい。【００１３】
また、本発明の医療用コネクタ連結補助具は、前記挿入部の各々を区画する切欠き部を有するプレート部材で構成されていることが好ましい。【００１４】
また、本発明の医療用コネクタ連結補助具は、前記プレート部材が３つの前記切欠き部を有することが好ましい。【００１５】
また、本発明の医療用コネクタ連結補助具は、前記医療用コネクタ連結補助具が、２つの前記挿入部の各々を区画する２つの切欠き部を有するプレート部材で構成されており、前記プレート部材の２つの前記挿入部の一方は、同一構成になる他の前記プレート部材の２つの前記挿入部の他方を装着させた前記括れ部に着脱可能であることが好ましい。【００１６】
また、本発明の医療用コネクタ連結補助具は、前記プレート部材の２つの前記挿入部の一方と他方とが、互いに段違いに設けられていることが好ましい。【００１７】
また、本発明の医療用コネクタ連結補助具は、前記プレート部材が、前記切欠き部間に少なくとも１つの補強リブを有し、前記補強リブは、前記挿入部が前記括れ部の各々に装着された状態で、前記ロックコネクタ部の軸線と垂直に延びていることが好ましい。【００１８】
また、本発明の医療用コネクタ連結補助具は、前記挿入部には少なくとも１つの切り込みを備えることが好ましい。【００１９】
また、本発明の医療用コネクタ連結補助具は、前記プレート部材の前記切欠き部間には、該プレート部材の端縁に沿って配置されると共に該プレート部材と交差する方向に延びる庇部を備えることが好ましい。【００２０】
さらに、本発明の医療用コネクタ連結補助具は、前記挿入部の各々は、該挿入部を前記括れ部に着脱可能に係止する爪部を有することが好ましい。【００２１】
また、本発明の医療用コネクタセットは、前記したいずれかの、少なくとも２つの医療用コネクタ及び医療用コネクタ連結補助具を備えることを特徴とする。
【発明の効果】
【００２２】
本発明に従う医療用コネクタ連結補助具によれば、少なくとも２つの医療用コネクタをロックコネクタ部により相互連結した状態にて、少なくとも２つの挿入部を、医療用コネクタの括れ部が区画する部分の各々に挿入することで、括れ部の各々に装着された挿入部と、該挿入部間を連結する連結部とにより、ロックコネクタ部の緩みを抑制することができる。また、少なくとも２つの挿入部と連結部とは一体に形成されているため、従来のようなプレート部材同士の嵌合による連結の必要はなく、要求される寸法精度を緩和することができる。【００２３】
したがって、本発明によれば、少なくとも２つの医療用コネクタを相互連結するロックコネクタ部の緩みを抑制する医療用コネクタ連結補助具において、要求される寸法精度を緩和し、より確実にロックコネクタ部の緩みを抑制することができる医療用コネクタ連結補助具を提供することができる。【００２４】
また、本発明によれば、そのような医療用コネクタ及び医療用コネクタ連結補助具を備える医療用コネクタセットを提供することができる。
【図面の簡単な説明】
【００２５】
【図１】本発明の一実施形態に係る医療用コネクタ連結補助具が装着される相互連結状態の２つの医療用コネクタの前方斜視図である。
【図２】図１に示す２つの医療用コネクタの後方斜視図である。
【図３】図１に示す２つの医療用コネクタの平面図である。
【図４】図１に示す２つの医療用コネクタの背面図である。
【図５】本発明の一実施形態に係る医療用コネクタ連結補助具を示す図であり、（ａ）は平面図、（ｂ）は前方斜視図である。
【図６】図５に示す医療用コネクタ連結補助具を、図１に示す２つの医療用コネクタに装着した状態を示す図であり、（ａ）は平面図、（ｂ）は背面図である。
【図７】本発明の一実施形態に係る医療用コネクタ連結補助具の変形例を示す図であり、（ａ）は平面図、（ｂ）は前方斜視図である。
【図８】図７に示す医療用コネクタ連結補助具を、図１に示す２つの医療用コネクタに装着した状態を示す図であり、（ａ）は平面図、（ｂ）は背面図である。
【図９】本発明の一実施形態に係る医療用コネクタ連結補助具の他の変形例を示す図であり、（ａ）は平面図、（ｂ）は前方斜視図である。
【図１０】図９に示す医療用コネクタ連結補助具を、図１に示す２つの医療用コネクタに装着した状態を示す図であり、（ａ）は平面図、（ｂ）は背面図である。
【図１１】本発明の一実施形態に係る医療用コネクタ連結補助具の更なる他の変形例を示す図であり、（ａ）は底面図、（ｂ）は底面側から見た斜視図である。
【図１２】図１１に示す医療用コネクタ連結補助具を、図１に示す２つの医療用コネクタに装着した状態を示す図であり、（ａ）は平面図、（ｂ）は背面図である。
【図１３】本発明の一実施形態に係る医療用コネクタ連結補助具の更なる他の変形例を示す図であり、（ａ）は底面図、（ｂ）は底面側から見た斜視図である。
【図１４】図１３に示す医療用コネクタ連結補助具を、図１に示す２つの医療用コネクタに装着した状態を示す図であり、（ａ）は平面図、（ｂ）は背面図である。
【図１５】本発明の一実施形態に係る医療用コネクタ連結補助具の更なる他の変形例を示す図であり、（ａ）は底面図、（ｂ）は底面側から見た斜視図である。
【図１６】図１５に示す医療用コネクタ連結補助具を、図１に示す医療用コネクタと同一構成の３つの医療用コネクタに装着した状態を示す図であり、（ａ）は平面図、（ｂ）は背面図である。
【図１７】本発明の一実施形態に係る医療用コネクタ連結補助具の更なる他の変形例を示す図であり、（ａ）は底面図、（ｂ）は底面側から見た斜視図である。
【図１８】図１７に示す医療用コネクタ連結補助具と同一構成の２つの医療用コネクタ連結補助具を、図１に示す医療用コネクタと同一構成の３つの医療用コネクタに装着した状態を示す図であり、（ａ）は平面図、（ｂ）は背面図である。
【図１９】本発明の一実施形態に係る医療用コネクタ連結補助具の更なる他の変形例を示す図であり、（ａ）は底面図、（ｂ）は底面側から見た斜視図である。
【図２０】図１９に示す医療用コネクタ連結補助具を、図１に示す２つの医療用コネクタに装着した状態を示す図であり、（ａ）は平面図、（ｂ）は背面図である。
【図２１】図２０に示す医療用コネクタ連結補助具を装着した医療用コネクタを異なる方向で手に持った状態を示す外観図であり、（ａ）は縦持ちの状態、（ｂ）は横持ちの状態を示す。
【図２２】本発明の他の実施形態に係る医療用コネクタ連結補助具を示す図であり、（ａ）は正面図、（ｂ）は前方斜視図である。
【図２３】図２２に示す医療用コネクタ連結補助具を、図１に示す２つの医療用コネクタに装着した状態を示す図であり、（ａ）は正面図、（ｂ）は平面図である。
【図２４】本発明の更なる他の実施形態に係る医療用コネクタ連結補助具を示す図であり、（ａ）は底面図、（ｂ）は底面側から見た斜視図である。
【図２５】図２４に示す医療用コネクタ連結補助具を、図１に示す２つの医療用コネクタに装着した状態を示す図であり、（ａ）は平面図、（ｂ）は背面図である。
【図２６】本発明の一実施形態に係る医療用コネクタ連結補助具を装着可能な医療用コネクタの他の例を示す正面図である。
【発明を実施するための形態】
【００２６】
以下、図１〜図６を参照して、本発明の一実施形態に係る医療用コネクタ連結補助具１及び医療用コネクタセット１００について詳細に例示説明する。
なお、本実施形態において用いる医療用コネクタ２０について、左右方向とはロックコネクタ部Ｌの軸線Ｏ1方向を意味し、上方とは、前記軸線Ｏ1に対して混注ポート２５が位置する側、下方とはその反対側を意味し、前方とは、前記軸線Ｏ1に対して操作レバー２１が位置する側を意味し、後方とはその反対側を意味するものとする。また、本実施形態に係る医療用コネクタ連結補助具１について、上下、左右、前後方向とは、医療用コネクタ連結補助具１が医療用コネクタ２０に装着された状態を基準とし、医療用コネクタ２０の左右、上下、前後方向とそれぞれ一致するものとする。
【００２７】
本実施形態に係る医療用コネクタ連結補助具１（図５及び図６参照）は、図１〜図４に示すような、２つの医療用コネクタ２０を相互連結するロックコネクタ部Ｌの緩みを抑制するために、必要に応じて用いられるものである。また、本実施形態に係る医療用コネクタセット１００は、そのような２つの医療用コネクタ２０及び医療用コネクタ連結補助具１を備えている。
【００２８】
図１〜図４に示すように、本実施形態では、医療用コネクタ２０は、操作レバー２１によって流路を切り換えることができる三方活栓として構成されている。また、医療用コネクタ２０は、雌ねじを有する筒状体２２が回動可能且つ抜け出し不能に嵌合保持されたルアーロック式のオスコネクタ部２３と、そのような筒状体２２が螺着可能な雄ねじを有するルアーロック式のメスコネクタ部２４とを有する。オスコネクタ部２３及びメスコネクタ部２４は左右方向に延びる共通の中心軸線Ｏ1を有している。また、２つの医療用コネクタ２０を相互連結するロックコネクタ部Ｌは、一方の医療用コネクタ２０のオスコネクタ部２３と、該オスコネクタ部２３に連結される、他方の医療用コネクタ２０のメスコネクタ部２４とによって構成されている。なお、本実施形態では、同一の構成になる２つの医療用コネクタ２０を用いているが、２つの医療用コネクタ２０は必ずしも同一の構成である必要はなく、例えば、他方の医療用コネクタ２０のオスコネクタ部２３から、筒状体２２を省略することも可能である。また、他方の医療用コネクタ２０のオスコネクタ部２３を、予め他の医療用具の管体と接合した構成としてもよい。
【００２９】
また、医療用コネクタ２０は、ロックコネクタ部Ｌの中心軸線Ｏ1に直交し、上下方向に延びる中心軸線Ｏ2を有する混注ポート２５を備えている。混注ポート２５は、他の医療用コネクタ（図示省略）のオスコネクタ部を接続可能な接続口２５ａを有している。接続口２５ａには、該接続口２５ａを閉鎖する弁体２５ｂが取り付けられており、オスコネクタ部の接続時には該弁体２５ｂがオスコネクタ部により接続口２５ａ内に押し込まれると共に該弁体２５ｂに形成されたスリットが開口して、該オスコネクタ部内の流路を医療用コネクタ２０内の流路と連通させるようになっている。このように、混注ポート２５は、他の医療用コネクタを弁体２５ｂを介して接続可能になっている。
【００３０】
また、医療用コネクタ２０内の流路は、ロックコネクタ部Ｌの中心軸線Ｏ1に直交し、前後方向に延びる中心軸線Ｏ3の周りに回動可能な操作レバー２１によって切り換えられるようになっている。具体的には、操作レバー２１が図１〜図４の位置にある場合には、オスコネクタ部２３、メスコネクタ部２４及び混注ポート２５内の流路が互いに連通している。この状態から、操作レバー２１を、後方に向かって見たときに右回りに９０°回すと、メスコネクタ部２４と混注ポート２５内の流路のみが互いに連通する。また、操作レバー２１を逆方向に９０°回すと、オスコネクタ部２３と混注ポート２５内の流路のみが互いに連通する。さらに、図１〜図４の状態から、操作レバー２１を１８０°回すと、オスコネクタ部２３とメスコネクタ部２４内の流路のみが互いに連通する。また、操作レバー２１を、図１〜図４の位置から、後方に向かって見たときに右回りに４５°、１３５°、２２５°又は３１５°回した場合には、全ての流路が遮断されるようになっている。
【００３１】
医療用コネクタ２０の各々は、ロックコネクタ部Ｌを介した相互連結状態にてロックコネクタ部Ｌの軸線Ｏ1と平行に整列する第１の括れ部Ｎ1を備えている。第１の括れ部Ｎ1は、混注ポート２５の基端部に形成されている。第１の括れ部Ｎ1の各々は、ロックコネクタ部Ｌの軸線Ｏ1と直交する軸線Ｏ2を備えると共に、該括れ部Ｎ1が区画する部分としての第１の凹部Ｃ1が、該括れ部Ｎ1の軸線Ｏ2の周りに設けられている。本実施形態では、第１の括れ部Ｎ1の各々は、該括れ部Ｎ1の外周面右側において右側に突出する右側縦リブ２６ａと、該括れ部Ｎ1の外周面左側において左側に突出する左側縦リブ２６ｂと、該括れ部Ｎ1の外周面前側において前側に突出する一対の前側縦リブ２６ｃと、該括れ部Ｎ1の外周面後側において後側に突出する一対の後側縦リブ２６ｄとを備えている。
【００３２】
また、第１の括れ部Ｎ1の上端は、混注ポート２５のフランジ部２５ｃによって形成されている。第１の括れ部Ｎ1の下端は、オスコネクタ部２３とメスコネクタ部２４とを連結する円筒部２７の上面によって形成されている。なお、円筒部２７の内側には、操作レバー２１と一体に形成された内側壁部２１ａが軸線Ｏ3の周りに回動可能に嵌め込まれており、前述した操作レバー２１によって切り換え可能な流路は、該円筒部２７と該内側壁部２１ａとの間に形成される。
【００３３】
図５〜図６に示すように、医療用コネクタ連結補助具１は、挿入部１ａの各々を区画する切欠き部を有するプレート部材で構成されており、２つの挿入部１ａは平面視Ｕ字状をなしている。２つの挿入部１ａは、前述した第１の括れ部Ｎ1が区画する凹部Ｃ1の各々に挿入されて該括れ部Ｎ1に着脱可能に装着されるようになっている。また、挿入部１ａの各々は、該挿入部１ａを第１の括れ部Ｎ1に着脱可能に係止する爪部１ｂを有している。また、医療用コネクタ連結補助具１は、２つの挿入部１ａと一体に形成されて該挿入部１ａ間を連結する連結部１ｃを有している。なお、医療用コネクタ連結補助具１は、好ましくは樹脂の射出成形によって一体に形成される。
【００３４】
医療用コネクタ連結補助具１は、２つの医療用コネクタ２０を、第１の括れ部Ｎ1の各々がロックコネクタ部Ｌの軸線Ｏ1と平行に整列するように互いに接続し、ロックコネクタ部Ｌを締結した状態で、後方から取り付けるように構成されている。本実施形態では、２つの挿入部１ａを第１の括れ部Ｎ1が区画する凹部Ｃ1の各々に挿入すると、爪部１ｂの各々が、２つの第１の括れ部Ｎ1の軸線Ｏ2を挟んで対向する縦リブ２６ａ，２６ｂを乗越え、これら縦リブ２６ａ，２６ｂに抜け止め保持される。また、このとき、一対の後側縦リブ２６ｄが挿入部１ａに当接することで、挿入部１ａの前後方向の移動を規制することができる。また、挿入部１ａの各々には、厚肉部１ｄが形成されており、医療用コネクタ連結補助具１の装着時には、図６（ｂ）に示したように、これら厚肉部１ｄの前側部分が第１の括れ部Ｎ1の各々に上下方向に隙間無く嵌め込まれるようになっている。
【００３５】
かかる構成になる医療用コネクタ連結補助具１及び医療用コネクタセット１００によれば、図６に示したように、２つの医療用コネクタ２０をロックコネクタ部Ｌにより相互連結した状態にて、医療用コネクタ連結補助具１の２つの挿入部１ａを、医療用コネクタ２０の第１の括れ部Ｎ1が区画する凹部Ｃ1の各々に挿入することで、第１の括れ部Ｎ1の各々に装着された挿入部１ａと、該挿入部１ａ間を連結する連結部１ｃとにより、ロックコネクタ部Ｌの緩みを抑制することができる。すなわち、相互連結状態の２つの医療用コネクタ２０の相互間に、図１中に矢印で示すような、軸線Ｏ1を中心とする捩れ方向の力が加わったとき、該医療用コネクタ２０の各々に装着された２つの挿入部１ａが、第１の括れ部Ｎ1との係合により、該医療用コネクタ２０相互間の前記捩れ方向の回転を規制することができる。また、２つの挿入部１ａと連結部１ｃとは一体に形成されているため、従来のようなプレート部材同士の嵌合による連結の必要はなく、要求される寸法精度を緩和することができる。
【００３６】
また、本実施形態では、図６（ａ）に示したように、第１の括れ部Ｎ1の各々は、ロックコネクタ部Ｌの軸線Ｏ1と直交する軸線Ｏ2を備えると共に、該括れ部Ｎ1が区画する凹部Ｃ1が、該括れ部Ｎ1の軸線Ｏ2の周りに設けられており、挿入部１ａの各々は、第１の括れ部Ｎ1への装着状態にて第１の括れ部Ｎ1の軸線Ｏ2に沿って見たときに、ロックコネクタ部Ｌの軸線Ｏ1を跨いで配置されるようになっているため、前述した医療用コネクタ２０相互間の捩れ方向の力に対して効果的に反力を発揮でき、より確実にロックコネクタ部Ｌの緩みを抑制することができる。
【００３７】
次に、図７〜図８を参照して、前述した実施形態の変形例について詳細に例示説明する。
本変形例に係る医療用コネクタ連結補助具２及び医療用コネクタセット２００は、図１〜図６を用いて前述した実施形態とは、医療用コネクタ連結補助具２の形状が異なる他は、同一の構成になっている。
【００３８】
すなわち、前述した実施形態では、爪部１ｂが、医療用コネクタ連結補助具１の装着時において、２つの第１の括れ部Ｎ1を挟んで対向する位置に設けられていたが、本変形例では、爪部２ｂが、医療用コネクタ連結補助具２の装着時において、２つの第１の括れ部Ｎ1に挟まれる位置に設けられている。また、前述した実施形態では、２つの挿入部１ａが、医療用コネクタ連結補助具１の装着時において、２つの第１の括れ部Ｎ1を挟んで対向する位置まで延在していたが、本変形例では、２つの挿入部２ａが、医療用コネクタ連結補助具２の装着時において、２つの第１の括れ部Ｎ1の後方で終端している。また、爪部２ｂは、医療用コネクタ連結補助具２の装着に際して、２つの第１の括れ部Ｎ1の軸線Ｏ2に挟まれる縦リブ２６ａ，２６ｂの乗越えをスムーズにするための切欠き２ｄを有している。
【００３９】
かかる構成になる医療用コネクタ連結補助具２及び医療用コネクタセット２００によれば、図１〜図６を用いて前述した実施形態の場合と同様の効果を得ることができる上、医療用コネクタ連結補助具２を構成するための材料を低減することができる。
【００４０】
次に、図９〜図１０を参照して、前述した実施形態の他の変形例について詳細に例示説明する。
本変形例に係る医療用コネクタ連結補助具３及び医療用コネクタセット３００は、図１〜図６を用いて前述した実施形態とは、医療用コネクタ連結補助具３の形状が異なる他は、同一の構成になっている。
【００４１】
すなわち、図１〜図６を用いて前述した実施形態では、縦リブ２６ａ，２６ｂを乗越えて抜け止め保持される爪部１ｂが設けられていたが、本変形例では、このような爪部１ｂは設けられていない。その代わり、本変形例では、２つの挿入部３ａを略Ｌ字状に形成すると共に、該挿入部３ａの各々の先端には、前方に突出する突起３ｅを設けている。挿入部３ａの先端及び突起３ｅは、厚肉部として形成されており、医療用コネクタ連結補助具３の装着時には、図１０（ｂ）に示したように、該厚肉部の前側部分が第１の括れ部Ｎ1の各々に上下方向に隙間無く嵌め込まれるようになっている。また、このとき、２つの突起３ｅは、図１０（ａ）に示したように、一対の後側縦リブ２６ｄの間に挿入されることで、医療用コネクタ連結補助具３と第１の括れ部Ｎ1との間の係合保持力を高めている。
【００４２】
また、挿入部３ａの各々は、医療用コネクタ連結補助具３の装着時において、一対の後側縦リブ２６ｄ相互間の左右方向の中央、乃至該中央よりロックコネクタ部Ｌ側で終端している。したがって、２つの医療用コネクタ２０のいずれかに、軸線Ｏ1上で第３の医療用コネクタ２０（図示省略）をさらに連結する場合には、他の医療用コネクタ連結補助具３（図示省略）を用意し、その医療用コネクタ連結補助具３を、新たに連結した２つの医療用コネクタ２０に、前述した医療用コネクタ連結補助具３と連接するように装着させることができる。
【００４３】
かかる構成になる医療用コネクタ連結補助具３及び医療用コネクタセット３００によれば、図１〜図６を用いて前述した実施形態の場合と同様の効果を得ることができる上、医療用コネクタ連結補助具３を構成するための材料を低減することができる。また、医療用コネクタ連結補助具３を複数用意することで、３つ以上の医療用コネクタ２０に対応することができる。
【００４４】
次に、図１１〜図１２を参照して、前述した実施形態の更なる他の変形例について詳細に例示説明する。
本変形例に係る医療用コネクタ連結補助具４及び医療用コネクタセット４００は、図１〜図６を用いて前述した実施形態とは、医療用コネクタ連結補助具４の形状が異なる他は、同一の構成になっている。
【００４５】
本変形例の医療用コネクタ連結補助具４は、図１〜図６を用いて前述した実施形態と同様に、２つの挿入部４ａの各々を区画する２つの切欠き部を有する平面状のプレート部材で構成され、２つの挿入部４ａと一体に形成されて該挿入部４ａ間を連結する連結部４ｃを有している。
【００４６】
そして、医療用コネクタ連結補助具４では、医療用コネクタ２０の操作レバー２１の操作を極力妨げないようにするために、プレート部材の連結部４ｃの前後方向の幅を縮小している。また、医療用コネクタ連結補助具４では、捩じり剛性を向上させるために、プレート部材が、前記切欠き部間に２つの補強リブ４ｅを有している。補強リブ４ｅの各々は、挿入部４ａが第１の括れ部Ｎ1の各々に装着された状態で、ロックコネクタ部Ｌの軸線Ｏ1と垂直に延びている。２つの補強リブ４ｅの左右方向の幅は、本例では異なっている。さらに、医療用コネクタ連結補助具４では、２つの挿入部４ａの各々が、挿入部４ａの弾性を向上させるために、厚肉部４ｄを挟む両側に２つの切り込み４ｆを備えている。
【００４７】
かかる構成になる医療用コネクタ連結補助具４及び医療用コネクタセット４００によれば、図１〜図６を用いて前述した実施形態の場合と同様の効果を得ることができる上、操作レバー２１の操作性、プレート部材の捩じり剛性、及び挿入部４ａの弾性を向上することができる。
【００４８】
次に、図１３〜図１４を参照して、前述した実施形態の更なる他の変形例について詳細に例示説明する。
本変形例に係る医療用コネクタ連結補助具５及び医療用コネクタセット５００は、図１〜図６を用いて前述した実施形態とは、医療用コネクタ連結補助具５の形状が異なる他は、同一の構成になっている。
【００４９】
本変形例の医療用コネクタ連結補助具５は、図１〜図６を用いて前述した実施形態と同様に、２つの挿入部５ａの各々を区画する２つの切欠き部を有する平面状のプレート部材で構成され、２つの挿入部５ａと一体に形成されて該挿入部５ａ間を連結する連結部５ｃを有している。
【００５０】
そして、医療用コネクタ連結補助具５では、医療用コネクタ２０の操作レバー２１の操作を極力妨げないようにするために、プレート部材の連結部５ｃの前後方向の幅を縮小している。また、医療用コネクタ連結補助具５では、捩じり剛性を向上させるために、プレート部材が、前記切欠き部間に２つの補強リブ５ｅを有している。補強リブ５ｅの各々は、挿入部５ａが第１の括れ部Ｎ1の各々に装着された状態で、ロックコネクタ部Ｌの軸線Ｏ1と垂直に延びている。ここに、本例では、２つの補強リブ５ｅの左右方向の幅を同一とすることで、プレート部材の射出成形時のヒケの発生を防止している。
【００５１】
また、医療用コネクタ連結補助具５では、２つの挿入部５ａの各々が、挿入部５ａの弾性を向上させるために、厚肉部５ｄを挟む両側に２つの切り込み５ｆを備えている。さらに、本例では、医療用コネクタ連結補助具５を医療用コネクタ２０から外れにくくするために、２つの挿入部５ａの各々の先端領域（２つの切欠き部を挟む領域）５ｇの左右方向の幅を縮小し、医療用コネクタ連結補助具５の装着状態において、第１の括れ部Ｎ1の軸線Ｏ2に沿って見たときに、第１の括れ部Ｎ1から露出する先端領域５ｇの部分がより小さくなるようにしている。
【００５２】
かかる構成になる医療用コネクタ連結補助具５及び医療用コネクタセット５００によれば、図１〜図６を用いて前述した実施形態の場合と同様の効果を得ることができる上、操作レバー２１の操作性、プレート部材の捩じり剛性、及び挿入部５ａの弾性を向上し、また、プレート部材の射出成形時のヒケの発生を防止し、さらには、医療用コネクタ連結補助具５を医療用コネクタ２０から外れにくくすることができる。
【００５３】
次に、図１５〜図１６を参照して、前述した実施形態の更なる他の変形例について詳細に例示説明する。
本変形例に係る医療用コネクタ連結補助具６及び医療用コネクタセット６００は、図１〜図６を用いて前述した実施形態とは、医療用コネクタ連結補助具６として３つの挿入部６ａを備えるものを用いる点、及び医療用コネクタセット６００が３つの医療用コネクタ２０を備える点を除いては、同一の構成になっている。
【００５４】
本変形例の医療用コネクタ連結補助具５は、３つの挿入部６ａの各々を区画する３つの切欠き部を有する平面状のプレート部材で構成され、３つの挿入部６ａと一体に形成されて該挿入部６ａ間を連結する２つの連結部６ｃを有している。
【００５５】
そして、医療用コネクタ連結補助具６では、医療用コネクタ２０の操作レバー２１の操作を極力妨げないようにするために、プレート部材の連結部６ｃの前後方向の幅を縮小している。また、医療用コネクタ連結補助具６では、捩じり剛性を向上させるために、プレート部材が、前記切欠き部間に２つの補強リブ６ｅを有している。補強リブ６ｅの各々は、３つの挿入部６ａが第１の括れ部Ｎ1の各々に装着された状態で、ロックコネクタ部Ｌの軸線Ｏ1と垂直に延びている。ここに、本例では、２つの補強リブ６ｅの左右方向の幅を同一とすることで、プレート部材の射出成形時のヒケの発生を防止している。
【００５６】
また、医療用コネクタ連結補助具６では、左右方向両端部に位置する２つの挿入部６ａの各々が、挿入部６ａの弾性を向上させるために、厚肉部６ｄを挟む両側に２つの切り込み６ｆを備えている。さらに、本例では、医療用コネクタ連結補助具６を医療用コネクタ２０から外れにくくするために、左右方向両端部に位置する２つの挿入部６ａの各々の先端領域（２つの切欠き部を挟む領域）６ｇの左右方向の幅を縮小し、医療用コネクタ連結補助具６の装着状態において、第１の括れ部Ｎ1の軸線Ｏ2に沿って見たときに、第１の括れ部Ｎ1から露出する先端領域６ｇの一部がより小さくなるようにしている。
【００５７】
かかる構成になる医療用コネクタ連結補助具６及び医療用コネクタセット６００によれば、３つの医療用コネクタ２０を相互連結するに際し、図１〜図６を用いて前述した実施形態の場合と同様の効果を得ることができる上、操作レバー２１の操作性、プレート部材の捩じり剛性、及び挿入部６ａの弾性を向上し、また、プレート部材の射出成形時のヒケの発生を防止し、さらには、医療用コネクタ連結補助具６を医療用コネクタ２０から外れにくくすることができる。
【００５８】
次に、図１７〜図１８を参照して、前述した実施形態の更なる他の変形例について詳細に例示説明する。
本変形例に係る医療用コネクタ連結補助具７及び医療用コネクタセット７００は、図１〜図６を用いて前述した実施形態とは、医療用コネクタセット７００が２つの医療用コネクタ連結補助具７と３つの医療用コネクタ２０とを備える点、及び医療用コネクタ連結補助具７の形状が異なる点を除いては、同一の構成になっている。
【００５９】
本変形例の医療用コネクタ連結補助具７の各々は、図１〜図６を用いて前述した実施形態と同様に、２つの挿入部７ａの各々を区画する２つの切欠き部を有する平面状のプレート部材で構成され、２つの挿入部７ａと一体に形成されて該挿入部７ａ間を連結する連結部７ｃを有している。
【００６０】
そして、医療用コネクタ連結補助具７では、プレート部材の２つの挿入部７ａの一方７ａ1を、同一構成になる他のプレート部材の２つの挿入部７ａの他方７ａ2を装着させた第１の括れ部Ｎ1に着脱可能としている。具体的には、２つの挿入部７ａの一方７ａ1及び他方７ａ2の上下方向の幅を連結部７ｃの上下方向の幅よりも縮小している。より具体的には、２つの挿入部７ａの一方７ａ1及び他方７ａ2の上下方向の幅は連結部７ｃの上下方向の幅の略１/２に縮小している。また、医療用コネクタ連結補助具７では、２つのプレート部材を連ねて医療用コネクタ２０に装着させた際に、２つのプレート部材が面一な形状をなすようにするために、プレート部材の２つの挿入部７ａの一方７ａ1と他方７ａ2とが、互いに段違いに設けられている。
【００６１】
また、医療用コネクタ連結補助具７では、医療用コネクタ２０の操作レバー２１の操作を極力妨げないようにするために、プレート部材の連結部７ｃの前後方向の幅を縮小している。また、医療用コネクタ連結補助具７では、捩じり剛性を向上させるために、プレート部材が、前記切欠き部間に１つの補強リブ７ｅを有し、２つの挿入部７ａの他方７ａ2の先端領域７ｇ2にも１つの補強リブ７ｅを有している。補強リブ７ｅの各々は、挿入部７ａが第１の括れ部Ｎ1の各々に装着された状態で、ロックコネクタ部Ｌの軸線Ｏ1と垂直に延びている。
【００６２】
また、医療用コネクタ連結補助具７では、２つの挿入部７ａの各々が、挿入部７ａの弾性を向上させるために、厚肉部７ｄを挟む両側に２つの切り込み７ｆを備えている。さらに、本例では、医療用コネクタ連結補助具７を医療用コネクタ２０から外れにくくするために、２つの挿入部７ａの各々の先端領域（２つの切欠き部を挟む領域）７ｇの左右方向の幅を縮小し、医療用コネクタ連結補助具７の装着状態において、第１の括れ部Ｎ1の軸線Ｏ2に沿って見たときに、第１の括れ部Ｎ1から露出する先端領域７ｇの部分がより小さくなるようにしている。
【００６３】
かかる構成になる医療用コネクタ連結補助具７及び医療用コネクタセット７００によれば、図１〜図６を用いて前述した実施形態の場合と同様の効果を得ることができる上、必要に応じて３つの医療用コネクタ２０を相互連結し、その相互連結状態を２つの医療用コネクタ連結補助具７を用いて良好に保持することが可能となる。また、更なる医療用コネクタ２０及び医療用コネクタ連結補助具７を用いることで、４つ以上の医療用コネクタ２０の相互連結に対応することも可能となる。また、医療用コネクタ連結補助具７及び医療用コネクタセット７００によれば、操作レバー２１の操作性、プレート部材の捩じり剛性、及び挿入部７ａの弾性を向上し、医療用コネクタ連結補助具７を医療用コネクタ２０から外れにくくすることができる。
【００６４】
次に、図１９〜図２１を参照して、前述した実施形態の更なる他の変形例について詳細に例示説明する。
本変形例に係る医療用コネクタ連結補助具８及び医療用コネクタセット８００は、図１〜図６を用いて前述した実施形態とは、医療用コネクタ連結補助具７の形状が異なる他は、同一の構成になっている。
【００６５】
本変形例の医療用コネクタ連結補助具８は、図１〜図６を用いて前述した実施形態と同様に、２つの挿入部８ａの各々を区画する２つの切欠き部を有する平面状のプレート部材で構成され、２つの挿入部８ａと一体に形成されて該挿入部８ａ間を連結する連結部８ｃを有している。
【００６６】
そして、医療用コネクタ連結補助具８では、医療用コネクタ２０の操作レバー２１の操作を極力妨げないようにするために、プレート部材の連結部８ｃの前方への突出幅を縮小している。また、医療用コネクタ連結補助具８では、捩じり剛性を向上させるために、プレート部材が、前記切欠き部間に２つの補強リブ８ｅを有している。補強リブ８ｅの各々は、挿入部８ａが第１の括れ部Ｎ1の各々に装着された状態で、ロックコネクタ部Ｌの軸線Ｏ1と垂直に延びている。ここに、本例では、２つの補強リブ８ｅの左右方向の幅を同一とすることで、プレート部材の射出成形時のヒケの発生を防止している。
【００６７】
また、医療用コネクタ連結補助具８では、２つの挿入部８ａの各々が、挿入部８ａの弾性を向上させるために、厚肉部８ｄの外側に１つの切り込み８ｆを備えている。さらに、本例では、医療用コネクタ連結補助具８を医療用コネクタ２０から外れにくくするために、２つの挿入部８ａの各々の先端領域（２つの切欠き部を挟む領域）８ｇの左右方向の幅を縮小し、医療用コネクタ連結補助具８の装着状態において、第１の括れ部Ｎ1の軸線Ｏ2に沿って見たときに、第１の括れ部Ｎ1から露出する先端領域８ｇの部分がより小さくなるようにしている。
【００６８】
さらに、本変形例では、医療用コネクタ連結補助具８は、プレート部材の前記切欠き部間に、該プレート部材の端縁に沿って配置されると共に該プレート部材と交差（本例では直交）する方向に延びる庇部８ｈを備えている。本例では、庇部８ｈは、前記切欠き部間に亘って配置されると共に左右の２つの補強リブ８ｅに連結している。また、本例では、庇部８ｈは略矩形の板状をなしており、その先端縁（下端縁）は、挿入部８ａが第１の括れ部Ｎ1の各々に装着された状態で庇部８ｈがロックコネクタ部Ｌを覆う位置まで延びている。また、本例では、庇部８ｈの下端面は、挿入部８ａが第１の括れ部Ｎ1の各々に装着された状態で円筒部２７の下端面と面一に整列している。さらに、本例では、庇部８ｈの前端面は、挿入部８ａが第１の括れ部Ｎ1の各々に装着された状態で円筒部２７の前端面と面一に整列している。
【００６９】
かかる構成になる医療用コネクタ連結補助具８及び医療用コネクタセット８００によれば、図１〜図６を用いて前述した実施形態の場合と同様の効果を得ることができる上、操作レバー２１の操作性、プレート部材の捩じり剛性、及び挿入部８ａの弾性を向上し、また、プレート部材の射出成形時のヒケの発生を防止し、さらには、医療用コネクタ連結補助具８を医療用コネクタ２０から外れにくくすることができる。
【００７０】
また、本変形例では、プレート部材の前記切欠き部間に、該プレート部材の端縁に沿って配置されると共に該プレート部材と交差する方向に延びる庇部８ｈを備えているので、補強リブ８ｅだけを備える場合よりもプレート部材の捩じり剛性をより一層高めることができる。また、本変形例では、このような庇部８ｈを備えることで、医療用コネクタ２０への装着時にロックコネクタ部Ｌを庇部８ｈで覆うことができるため、ロックコネクタ部Ｌへの意図しない接触によるロックコネクタ部Ｌの緩みの発生を抑制することができる。さらに、本変形例では、このような庇部８ｈを備えることで、医療用コネクタ連結補助具８を装着した医療用コネクタ２０を、図２１（ａ）に示すような縦持ちの状態で把持した場合でも、図２１（ｂ）に示すような横持ちの状態で把持した場合でも、把持部の段差を庇部８ｈによって軽減することができ、持ちやすくすることができる。庇部８ｈは、プレート部材の前記切欠き部間に、該プレート部材の端縁に沿って配置されると共に該プレート部材と交差する方向に延びる平板部とも言い換えられる。
【００７１】
次に、図２２〜図２３を参照して、本発明の他の実施形態に係る医療用コネクタ連結補助具９及び医療用コネクタセット９００について詳細に例示説明する。
本実施形態に係る医療用コネクタ連結補助具９及び医療用コネクタセット９００は、図１〜図６を用いて前述した実施形態とは、医療用コネクタ連結補助具９の装着箇所及び形状が異なる他は、同一の構成になっている。
【００７２】
すなわち、前述した実施形態では、医療用コネクタ連結補助具１は、混注ポート２５に形成された第１の括れ部Ｎ1に装着されていたが、本実施形態では、医療用コネクタ連結補助具９は、操作レバー２１、円筒部２７及び混注ポート２５によって形成される第２の括れ部Ｎ2に装着されるように構成されている。
【００７３】
医療用コネクタ連結補助具９は、挿入部９ａの各々を区画する切欠き部を有するプレート部材で構成されており、２つの挿入部９ａは平面視Ｕ字状をなしている。２つの挿入部９ａは、前述した第２の括れ部Ｎ2が区画する第２の凹部Ｃ2の各々に挿入されて該括れ部Ｎ2に着脱可能に装着されるようになっている。挿入部９ａの各々は、該挿入部９ａを第２の括れ部Ｎ2に着脱可能に係止する一対の爪部９ｂを有している。また、医療用コネクタ連結補助具９は、２つの挿入部９ａと一体に形成されて該挿入部９ａ間を連結する連結部９ｃを有している。なお、医療用コネクタ連結補助具９は、好ましくは樹脂の射出成形によって一体に形成される。
【００７４】
医療用コネクタ連結補助具９は、２つの医療用コネクタ２０を、第２の括れ部Ｎ2の各々がロックコネクタ部Ｌの軸線Ｏ1と平行に整列するように互いに接続し、ロックコネクタ部Ｌを締結した状態で、上方から取り付けるように構成されている。本実施形態では、２つの挿入部９ａを第２の括れ部Ｎ2が区画する凹部Ｃ2の各々に挿入すると、一対の爪部９ｂの各々が、第２の括れ部Ｎ2である円筒部２７の外周面を乗越え、該円筒部２７に抜け止め保持される。
【００７５】
かかる構成になる医療用コネクタ連結補助具９及び医療用コネクタセット９００によれば、図２３に示したように、２つの医療用コネクタ２０をロックコネクタ部Ｌにより相互連結した状態にて、医療用コネクタ連結補助具９の２つの挿入部９ａを、医療用コネクタ２０の第２の括れ部Ｎ2が区画する凹部Ｃ2の各々に挿入することで、第２の括れ部Ｎ2の各々に装着された挿入部９ａと、該挿入部９ａ間を連結する連結部９ｃとにより、ロックコネクタ部Ｌの緩みを抑制することができる。すなわち、相互連結状態の２つの医療用コネクタ２０の相互間に、図１中に矢印で示したような、軸線Ｏ1を中心とする捩れ方向の力が加わったとき、該医療用コネクタ２０の各々に装着された２つの挿入部９ａが、第２の括れ部Ｎ2との係合により、該医療用コネクタ２０相互間の前記捩れ方向の回転を規制することができる。また、２つの挿入部９ａと連結部９ｃとは一体に形成されているため、従来のようなプレート部材同士の嵌合による連結の必要はなく、要求される寸法精度を緩和することができる。
【００７６】
また、本実施形態では、図２３（ａ）に示したように、第２の括れ部Ｎ2の各々は、ロックコネクタ部Ｌの軸線Ｏ1と直交する軸線Ｏ3を備えると共に、該括れ部Ｎ2が区画する凹部Ｃ2が、該括れ部Ｎ2の軸線Ｏ3の周りに設けられており、挿入部９ａの各々は、第２の括れ部Ｎ2への装着状態にて第２の括れ部Ｎ2の軸線Ｏ3に沿って見たときに、ロックコネクタ部Ｌの軸線Ｏ1を跨いで配置されるようになっているため、前述した医療用コネクタ２０相互間の捩れ方向の力に対して効果的に反力を発揮でき、より確実にロックコネクタ部Ｌの緩みを抑制することができる。
【００７７】
次に、図２４〜図２５を参照して、本発明の更なる他の実施形態に係る医療用コネクタ連結補助具１０及び医療用コネクタセット１０００について詳細に例示説明する。
本実施形態に係る医療用コネクタ連結補助具１０及び医療用コネクタセット１０００は、図１〜図６を用いて前述した実施形態とは、医療用コネクタ連結補助具１０の形状、及び医療用コネクタ２０のメスコネクタ部２４'の形状が異なる他は、同一の構成になっている。
【００７８】
本実施形態の医療用コネクタ連結補助具１０は、図１〜図６を用いて前述した実施形態と同様に、２つの挿入部１０ａの各々を区画する２つの切欠き部を有するプレート部材で構成され、２つの挿入部１０ａと一体に形成されて該挿入部１０ａ間を連結する連結部１０ｃを有している。
【００７９】
そして、医療用コネクタ連結補助具１０では、プレート部材が連結部１０ｃにおいて下方に略９０°の角度をなして屈曲した構成となっている。また、本実施形態では、医療用コネクタ２０は、相互連結状態にてロックコネクタ部Ｌの軸線Ｏ1と平行に位置する（すなわち、ロックコネクタ部Ｌの軸線Ｏ1と共通の軸線を有する）第３の括れ部Ｎ3としてのメスコネクタ部２４'と、前記軸線Ｏ1と垂直に位置する（すなわち、軸線Ｏ1と垂直な軸線を有する）第１の括れ部Ｎ1とを備えている。
【００８０】
そして、本実施形態では、２つの医療用コネクタ２０を相互連結させた状態で、医療用コネクタ連結補助具１０の一方の挿入部１０ａ1を、第１の括れ部Ｎ1が区画する部分に挿入して第１の括れ部Ｎ1に着脱可能に装着すると共に、下方に位置する他方の挿入部１０ａ2を、第３の括れ部Ｎ3が区画する部分に挿入して第３の括れ部Ｎ3に着脱可能に装着することができる。また、本実施形態においては、第３の括れ部Ｎ3が区画する部分には、医療用コネクタ連結補助具１０の他方の挿入部１０ａ2が装着されたときに、該挿入部１０ａ2が第３の括れ部Ｎ3に対して軸線Ｏ1の周りに相対回転することを妨げる凹凸部２４ａが設けられている。
【００８１】
したがって、本実施形態に係る医療用コネクタ連結補助具１０及び医療用コネクタセット１０００によれば、図２５に示したように、２つの医療用コネクタ２０をロックコネクタ部Ｌにより相互連結した状態にて、医療用コネクタ連結補助具１０の２つの挿入部１０ａを、医療用コネクタ２０の第１の括れ部Ｎ1が区画する部分と第３の括れ部Ｎ3が区画する部分とに挿入することで、第１の括れ部Ｎ1及び第３の括れ部Ｎ3の各々に装着された挿入部１０ａと、該挿入部１０ａ間を連結する連結部１０ｃとにより、ロックコネクタ部Ｌの緩みを抑制することができる。
【００８２】
すなわち、相互連結状態の２つの医療用コネクタ２０の相互間に、図１中に矢印で示したような、軸線Ｏ1を中心とする捩れ方向の力が加わったとき、該医療用コネクタ２０の各々に装着された２つの挿入部１０ａが、第１の括れ部Ｎ1及び第３の括れ部Ｎ3との係合により、該医療用コネクタ２０相互間の前記捩れ方向の回転を規制することができる。また、２つの挿入部１０ａと連結部１０ｃとは一体に形成されているため、従来のようなプレート部材同士の嵌合による連結の必要はなく、要求される寸法精度を緩和することができる。
【００８３】
なお、本実施形態に係る医療用コネクタ連結補助具１０及び医療用コネクタセット１０００では、２つの挿入部１０ａが、第１の括れ部Ｎ1及び第３の括れ部Ｎ3と係合する構成としたが、このような構成に代えて、２つの挿入部１０ａが、第２の括れ部Ｎ2及び第３の括れ部Ｎ3と係合する構成とすることも可能である。
【００８４】
前述したところは、本発明の一実施形態を示したにすぎず、特許請求の範囲において、種々の変更を加えることができる。例えば、医療用コネクタ２０は、操作レバー２１によって流路を切り換えることができる三方活栓として構成されるものとして説明したが、必ずしもそのような構成に限定する必要はなく、例えば図２６に示すような、混注ポート３１と、ルアーロック式のオスコネクタ部３２と、ルアーロック式のメスコネクタ部３３と、これら混注ポート３１、オスコネクタ部３２及びメスコネクタ部３３を連結する胴部３４とを備えるＴ型ポート３０として構成することもできる。この場合には、胴部３４における混注ポート３１と反対側の端部に、例えば環状溝によって形成される括れ部Ｎ4を設け、医療用コネクタ連結補助具（図示省略）の挿入部を該括れ部Ｎ4に装着するように構成することができる。
【００８５】
また、前述した実施形態では、医療用コネクタ連結補助具１〜５及び８〜１０は、２つの医療用コネクタ２０を相互連結するロックコネクタ部Ｌの緩みを抑制するように構成されているが、１つの医療用コネクタ連結補助具で、例えば、３つ以上の医療用コネクタ２０に対応するように構成することもできる。この場合には、医療用コネクタ連結補助具には、３つ以上の挿入部を設けることができる。同様に、医療用コネクタ連結補助具６は、３つの挿入部を有しているが、４つ以上の医療用コネクタ２０に対応させるために４つ以上の挿入部を設ける構成としてもよい。さらに、医療用コネクタ連結補助具４〜８には補強リブ４ｅ〜８ｅを設けていたが、補強リブ４ｅ〜８ｅの個数を増減することも、補強リブ４ｅ〜８ｅを省略することも可能である。同様に、医療用コネクタ連結補助具４〜８には切り込み４ｆ〜８ｆを設けていたが、切り込み４ｆ〜８ｆの個数を増減することも、切り込み４ｆ〜８ｆを省略することも可能である。
【符号の説明】
【００８６】
１  医療用コネクタ連結補助具
１ａ  挿入部
１ｂ  爪部
１ｃ  連結部
１ｄ  厚肉部
２  医療用コネクタ連結補助具
２ａ  挿入部
２ｂ  爪部
２ｄ  切欠き
３  医療用コネクタ連結補助具
３ａ  挿入部
３ｃ  連結部
３ｅ  突起
４  医療用コネクタ連結補助具
４ａ  挿入部
４ｃ  連結部
４ｄ  厚肉部
４ｅ  補強リブ
４ｆ  切り込み
５  医療用コネクタ連結補助具
５ａ  挿入部
５ｃ  連結部
５ｄ  厚肉部
５ｅ  補強リブ
５ｆ  切り込み
５ｇ  挿入部の先端領域
６  医療用コネクタ連結補助具
６ａ  挿入部
６ｃ  連結部
６ｄ  厚肉部
６ｅ  補強リブ
６ｆ  切り込み
６ｇ  挿入部の先端領域
７  医療用コネクタ連結補助具
７ａ  挿入部
７ａ1  ２つの挿入部の一方
７ａ2  ２つの挿入部の他方
７ｃ  連結部
７ｄ  厚肉部
７ｅ  補強リブ
７ｆ  切り込み
７ｇ  挿入部の先端領域
７ｇ2  ２つの挿入部の他方の先端領域
８  医療用コネクタ連結補助具
８ａ  挿入部
８ｃ  連結部
８ｄ  厚肉部
８ｅ  補強リブ
８ｆ  切り込み
８ｇ  挿入部の先端領域
８ｈ  庇部
９  医療用コネクタ連結補助具
９ａ  挿入部
９ｂ  一対の爪部
９ｃ  連結部
１０  医療用コネクタ連結補助具
１０ａ  挿入部
１０ａ1  一方の挿入部
１０ａ2  他方の挿入部
１０ｃ  連結部
２０  医療用コネクタ
２１  操作レバー
２１ａ  内側壁部
２２  筒状体
２３  オスコネクタ部
２４，２４'  メスコネクタ部
２４ａ  凹凸部
２５  混注ポート
２５ａ  接続口
２５ｂ  弁体
２５ｃ  フランジ部
２６ａ  右側縦リブ
２６ｂ  左側縦リブ
２６ｃ  一対の前側縦リブ
２６ｄ  一対の後側縦リブ
２７  円筒部
３０  Ｔ型ポート
３１  混注ポート
３２  オスコネクタ部
３３  メスコネクタ部
３４  胴部
１００〜１０００  医療用コネクタセット
Ｌ  ロックコネクタ部
Ｏ1，Ｏ2，Ｏ3  軸線
Ｎ1  第１の括れ部
Ｎ2  第２の括れ部
Ｎ3  第３の括れ部
Ｎ4  Ｔ型ポートの括れ部
Ｃ1  第１の凹部
Ｃ2  第２の凹部
【図１】
0006611713.tif 000002
【図２】
0006611713.tif 000003
【図３】
0006611713.tif 000004
【図４】
0006611713.tif 000005
【図５】
0006611713.tif 000006
【図６】
0006611713.tif 000007
【図７】
0006611713.tif 000008
【図８】
0006611713.tif 000009
【図９】
0006611713.tif 000010
【図１０】
0006611713.tif 000011
【図１１】
0006611713.tif 000012
【図１２】
0006611713.tif 000013
【図１３】
0006611713.tif 000014
【図１４】
0006611713.tif 000015
【図１５】
0006611713.tif 000016
【図１６】
0006611713.tif 000017
【図１７】
0006611713.tif 000018
【図１８】
0006611713.tif 000019
【図１９】
0006611713.tif 000020
【図２０】
0006611713.tif 000021
【図２１】
0006611713.tif 000022
【図２２】
0006611713.tif 000023
【図２３】
0006611713.tif 000024
【図２４】
0006611713.tif 000025
【図２５】
0006611713.tif 000026
【図２６】
0006611713.tif 000027